(57)【要約】【課題】扇風機において、幼児が不用意に操作スイッチに触れて運転開始させてしまったり、入タイマー時間が経過した時に突然モーターが回転を開始してファンによって幼児に怪我をさせてしまうという課題に対して幼児が不用意にファンに触れていた場合に運転が開始されても怪我をさせないようにすることができる扇風機を提供することを目的とする。【解決手段】制御部７は、ファンモーター３の起動時には、規定の低速回転で運転を開始し、所定時間経過後、使用者が設定した回転数で運転するソフトスタート機能を有するようにし、これにより、幼児が不用意にファン２に触れていた場合に誤って操作部６に触れ突然運転を開始しても低速回転でファンモーター３が起動されるためファン２が強く回転せず幼児に怪我をさせないという効果を得られる。【選択図】図１
2015063981.tif 000002
【特許請求の範囲】
【請求項１】
ファンを回転させるモーターと、このモーターの回転を制御する制御部と、使用者が設定する操作部を備え、前記制御部は、前記モーターの起動時には、規定の低速回転で運転を開始し、所定時間経過後、使用者が設定した回転数で運転するソフトスタート機能を有する扇風機。
【請求項２】
前記ソフトスタート機能は、使用者が前記操作部で入タイマーを設定したとき、タイマー設定時間経過後に有効になる請求項１記載の扇風機。
【請求項３】
前記操作部として、遠隔から操作するリモコンを備え、前記ソフトスタート機能は、このリモコンから運転指令を送信したときに無効になる請求項１記載の扇風機。
【請求項４】
前記ソフトスタート機能は、前記低速回転運転中に、規定の回転数に到達しない場合に運転を停止させる請求項１〜３いずれかひとつに記載の扇風機。
【請求項５】
前記ソフトスタート機能は、前記低速回転運転中に規定の回転数まで至らず運転を停止した後、前記操作部で警告音を鳴動させ、一定時間経過後に再度規定の低速回転で運転を開始するようにした請求項４記載の扇風機。
【発明の詳細な説明】
【技術分野】
【０００１】
本発明は、起動時の安全性を向上させる扇風機に関するものである。
【背景技術】
【０００２】
従来、この種の扇風機は、幼児のいたずらにより急に運転することが無いようにチャイルドロック機能を有したものが知られている。（例えば文献１参照）。
【０００３】
以下、その扇風機について図９〜１１を参照しながら説明する。
【０００４】
図９に示すように、扇風機本体１０１の主要部はモーター１０２、ファン１０３、支柱１０４、基台１０５からなり、基台１０５の前面には操作部１０６が設けられ、操作部１０６の設定状態からモーター１０２を駆動制御する制御部１０７を備えている。図１０に示すように、操作部１０６には扇風機の運転や停止を操作する運転切／入スイッチ１０８、運転風量を変更する風量スイッチ１０９、決められた時間に運転を開始させる入タイマー設定スイッチ１１０、幼児がいたずらで各スイッチを操作できないように設定をロックするチャイルドロックスイッチ１１１を備えている。
【０００５】
上記構成において、電源が通電され使用者が運転切／入スイッチ１０８を操作して運転入り状態に設定されると制御部１０７は所定の回転数でモーター１０２を回転制御させ、風量スイッチ１０９の操作により弱風量・中風量・強風量の運転風量を選択設定できるものである。また、入タイマー設定スイッチ１１０により入タイマー運転設定されると制御部１０７はモーター１０２の回転を停止させて設定された時間が経過するまで待機状態を維持し、設定時間経過後に運転を開始させるものである。
【０００６】
図１１は、操作部１０６における操作の判断フローを表したものである。使用者がチャイルドロックスイッチ１１１を操作してチャイルドロック設定に入れると、幼児がいたずらで他のスイッチを操作しても制御部１０７は無効と判断してスイッチ操作を受け付けず、モーター１０２の回転を開始させないようにして安全の確保と運転設定の維持を確保するものである。
【先行技術文献】
【特許文献】
【０００７】
【特許文献１】特開平１１−２８０６９２号公報
【発明の概要】
【発明が解決しようとする課題】
【０００８】
このような従来の扇風機では、チャイルドロック設定をし忘れて幼児が不用意に操作スイッチを触れ運転開始させてしまったり、入タイマー時間が経過した時に突然モーターが回転を開始してファンにより幼児に怪我をさせてしまう場合があった。
【０００９】
そこで、本発明は、このような従来の課題を解決するものであり、幼児が不用意にファンに触れていた場合に運転が開始されても怪我をさせないようにすることができる扇風機を提供することを目的としている。
【課題を解決するための手段】
【００１０】
そして、この目的を達成するために、本発明の扇風機は、ファンを回転させるモーターと、このモーターの回転を制御する制御部と、使用者が設定する操作部を備え、前記制御部は、前記モーターの起動時には、規定の低速回転で運転を開始し、所定時間経過後、使用者が設定した回転数で運転するソフトスタート機能を有するようにしたものであり、これにより所期の目的を達成するものである。
【発明の効果】
【００１１】
本発明によれば、ファンを回転させるモーターと、このモーターの回転を制御する制御部と、使用者が設定する操作部を備え、前記制御部は、前記モーターの起動時には、規定の低速回転で運転を開始し、所定時間経過後、使用者が設定した回転数で運転するソフトスタート機能を有するようにしたもので、運転開始時に幼児が不用意にファンに触れていた場合でも低速で運転開始するため怪我をさせることが無い安全な扇風機を提供できる。
【図面の簡単な説明】
【００１２】
【図１】本発明の実施の形態１の扇風機の一部破断した構造図
【図２】同制御ブロック図
【図３】同運転風量とファンモーターの回転数との相関図
【図４】同制御部のフローチャート図
【図５】同制御部において、入タイマーを用いた制御フローチャート図
【図６】同制御部において、遠隔操作用リモコンを用いたときの制御フローチャート図
【図７】同制御部において、異常停止機能を備えた制御フローチャート図
【図８】同制御部において、異常停止時の放置機能、および復帰機能を備えた制御フローチャート図
【図９】従来の扇風機の構造図
【図１０】同ブロック図
【図１１】同制御フローチャート図
【発明を実施するための形態】
【００１３】
本発明の請求項１記載の発明は、ファンを回転させるモーターと、このモーターの回転を制御する制御部と、使用者が設定する操作部を備え、前記制御部は、前記モーターの起動時には、規定の低速回転で運転を開始し、所定時間経過後、使用者が設定した回転数で運転するソフトスタート機能を有するようにした構成を有する。
【００１４】
これにより、幼児が不用意にファンに触れていた場合に誤って操作スイッチに触れ突然運転を開始しても低速回転でモーターが起動されるためファンが強く回転せず幼児に怪我をさせないという効果を奏する。
【００１５】
また、請求項２記載の発明は、ソフトスタート機能は、使用者が前記操作部で入タイマーを設定したとき、タイマー設定時間経過後に有効になるようにした構成を有する。
【００１６】
これにより操作スイッチを操作せずに突然運転を開始する入タイマー設定時間経過後に幼児がファンに触れていた場合は怪我をさせることがなく、通常の運転開始時は初期設定された規定回転数でファンを回転させることにより、すぐに涼を得られるようになるという効果を奏する。
【００１７】
また、請求項３記載の発明は、遠隔から操作するリモコンを備え、前記ソフトスタート機能は、このリモコンから運転指令を送信したときに無効になるようにした構成を有する。
【００１８】
これによりリモコンで操作する場合は低速回転での起動をおこなわないので幼児が扇風機の近傍にいない場合には初期設定された規定回転数でファンを回転させることにより、すぐに涼を得られるようになるという効果を奏する。
【００１９】
また、請求項４記載の発明は、ソフトスタート機能は、前記低速回転運転中に、規定の回転数に到達しない場合に運転を停止させるようにした構成を有する。
【００２０】
これにより幼児が不用意にファンに触れていた場合で、すぐに外せない状況になっていても運転を停止してくれるのでより安全を確保できるという効果を奏する。
【００２１】
また、請求項５記載の発明は、ソフトスタート機能は、前記低速回転運転中に規定の回転数まで至らず運転を停止した後、前記操作部で警告音を鳴動させ、一定時間経過後に再度規定の低速回転で運転を開始するようにした構成を有する。
【００２２】
これにより幼児が不用意にファンに触れていた場合でも怪我をさせることがなく、警告音により現状を回避させることで再度運転を開始できるという効果を奏する。
【００２３】
以下、本発明の実施の形態について図面を参照しながら説明する。
【００２４】
（実施の形態１）
図１、図２に示すように、扇風機の本体１の主要部はファン２、ファンモーター３、支柱４、基台５からなり、基台５の前面には操作部６および制御部７を備えている。操作部６には入タイマーモードの設定が可能となっており設定された時間経過後に運転を開始する運転モードを備えている。
【００２５】
ここで、図３に示すように、制御部７には、使用者が設定する運転風量毎に決められたファンモーター３の回転数と運転開始時の３分間のみ回転させる初期回転数が記憶されている。そして、図４に示すように、制御部７はファンモーター３へ回転指示を送信し、ファンモーター３からは回転数信号を受信する。
【００２６】
上記構成において、まず、使用者が操作部６を操作して扇風機の本体１を風量弱設定で運転開始させた時の運転について説明する。ここで、風量弱設定のファンモーター回転数を３００ｒｐｍとする。まず、図４に示すように、運転開始を判断すると、制御部７は、図３で示す初期回転数１００ｒｐｍで回転するようにファンモーター３へ送信する。ファンモーター３はファン２の回転数を指示された初期回転数１００ｒｐｍに合うように制御するとともに、制御部７へ実際の回転数信号を送信する。制御部７は、ファンモーター３からの回転数信号を受信してから３分間経過するとファン２の回転数を風量弱で設定された３００ｒｐｍに上昇させる信号をファンモーター３へ送信する。ファンモーター３は、ファン２の回転数を３００ｒｐｍに合うように制御するとともに、制御部７へ実際の回転数信号を送信している。
【００２７】
また、使用者が操作部６を操作して扇風機の本体１を風量強設定で運転開始させた時についても、風量弱設定で運転開始させた場合と同様である。すなわち、風量強設定で運転開始させた時、制御部７は、図３で示す初期回転数１００ｒｐｍで回転するようにファンモーター３へ送信する。ファンモーター３は、ファン２の回転数を１００ｒｐｍに合うように制御するとともに、制御部７へ実際の回転数信号を送信する。制御部７は、ファンモーター３からの回転数信号を受信してから３分間経過すると、ファン２の回転数を風量強で設定された６００ｒｐｍ上昇させる信号を送信する。ファンモーター３は、ファン２の回転数を６００ｒｐｍに合うように制御するとともに、制御部７へ実際の回転数信号を送信している。
【００２８】
以上のように、運転開始時は１００ｒｐｍという低速回転で回転させるソフトスタート機能を有することで幼児が不用意にファンに触れていた場合でも怪我をさせることがなく安全に使用することができる。
【００２９】
図５は、操作部６において、入タイマーを設定して起動する場合のフローチャートである。図５に示すように、制御部７は、運転開始を判断した後、入タイマーによって起動されたかどうかを判断する。入タイマーによって起動されたと判断した場合、図４と同様のソフトスタート機能（すなわち、初期回転数１００ｒｐｍ）で運転を開始する。このように、入タイマーに設定された時の運転開始時のみにソフトスタート機能を起動させてもよい。入タイマーで運転する場合には、扇風機の本体１の近傍に人がいるということもあり、停止状態から突然運転開始する場合がある。このような入タイマーで運転する場合に、ソフトスタート機能で軌道させることによって、幼児に怪我をさせず、安全に起動することができる。
【００３０】
図６は、遠隔操作用リモコン（図示せず）を用いて運転を指示した場合のフローチャートである。図６に示すように、制御部７は、運転開始を判断したとき、運転開始の指示がリモコン操作によるものかどうかを判断する。リモコン操作による運転指令の場合、ソフトスタート機能をスキップして、指示された回転数（リモコンから指示された回転数、あるいは、前回の運転回転数）で運転を開始する。一方、運転開始の指示がリモコン操作によらず、本体１の操作部６によるものの場合には、図４と同様のソフトスタート機能（すなわち、初期回転数１００ｒｐｍ）で運転を開始する。このように、遠隔操作用リモコンから運転操作された場合は運転開始時のソフトスタート機能は働かせないという構成にしてもよい。遠隔操作用リモコンによる起動は、扇風機の本体１のすぐ傍では行わないことが考えられるので、ソフトスタート機能を起動する必要がない。すなわち、幼児が不用意にスイッチ操作してしまう操作部６を操作されて運転開始する時のみにソフトスタート機能を有効にするようにしてもよい。
【００３１】
図７は、障害物などによって、ファン２が正常に起動しなかった場合のフローである。
【００３２】
図７に示すように、制御部７は、初期回転数１００ｒｐｍで回転するようにファンモーター３へ送信した後、ファンモーター３から送られる回転数信号を確認する。ファンモーター３からの回転数信号が１分間経過しても１００ｒｐｍに満たない場合は、ファン２が幼児によって拘束されている、あるいは、異物を挟み込んでいるなどと判断し、運転を停止して安全を確保するものである。
【００３３】
また、図８は、操作部６に警報部（図示せず）を設け、障害物などによって、ファン２が正常に起動しなかった場合に報知する機能を備えたフローである。図８に示すように、制御部７が初期回転数１００ｒｐｍで回転するようにファンモーター３へ送信した後、ファンモーター３から送られる回転数信号を確認する。ファンモーター３からの回転数信号が１分間経過しても１００ｒｐｍに満たない場合は、ファン２が幼児によって拘束されている、あるいは、異物を挟み込んでいるなどと判断し運転を停止させる。さらに、同時に警報部にて警報音を鳴動させるものである。さらに、その１分後に制御部７は、再度初期回転数１００ｒｐｍで回転するようにファンモーター３へ送信してファンモーター３の回転を開始させるようにすることで使用者に再操作をさせないようにしてもよい。
【００３４】
なお、以上の説明で用いた数値（初期回転数１００ｒｐｍ、風量弱回転数３００ｒｐｍ、風量強の回転数６００ｒｐｍ、回転数を上げるまでの時間３分間、ソフトスタート運転を停止する判断を行なう時間１分間）は、説明のための例示であって、これらの数値に限定するものではない。
【産業上の利用可能性】
【００３５】
本発明にかかる扇風機は、幼児が不用意に回転体に触れた場合に怪我をしないように保護するためものであり、回転体を有する機器に用いる技術としても有用である。
【符号の説明】
【００３６】
１  本体
２  ファン
３  ファンモーター
４  支柱
５  基台
６  操作部
７  制御部
【図１】
2015063981.tif 000003
【図２】
2015063981.tif 000004
【図３】
2015063981.tif 000005
【図４】
2015063981.tif 000006
【図５】
2015063981.tif 000007
【図６】
2015063981.tif 000008
【図７】
2015063981.tif 000009
【図８】
2015063981.tif 000010
【図９】
2015063981.tif 000011
【図１０】
2015063981.tif 000012
【図１１】
2015063981.tif 000013